(57)【要約】【課題】発射操作ハンドルと多種入力操作手段とで両手が塞がっている状態でも、何れかの操作を中断することなく球抜き操作を行うことが可能な弾球遊技機を提供する。【解決手段】遊技球を貯留する貯留皿１３と、発射操作ハンドル１４が操作されることを条件に、貯留皿１３から供給される遊技球を遊技領域に向けて発射する発射手段と、球抜き操作ボタン６６が操作されることに基づいて貯留皿１３内の遊技球を下方へ排出する球抜き機構と、遊技機本体の前側で且つ発射操作ハンドル１４に対する左右方向の一方側に配置され、複数種類の方向に操作可能な操作桿８２により所定演出に関する複数種類の入力操作が可能なジョイスティック装置１５とを備えた弾球遊技機で、球抜き操作ボタン６６をジョイスティック装置１５の操作桿８２上又はその近傍に配置したものである。【選択図】図４
2010115312.tif 000002
【特許請求の範囲】
【請求項１】
払い出し手段（３７）から払い出された遊技球を貯留する貯留皿（１３）と、遊技機本体（１）の前側に設けられた発射操作ハンドル（１４）と、該発射操作ハンドル（１４）が操作されることを条件に、前記貯留皿（１３）から供給される遊技球を遊技領域（６ａ）に向けて発射する発射手段（８）と、球抜き操作手段（６６）が操作されることに基づいて前記貯留皿（１３）内又は前記貯留皿（１３）の下流側に設けられた補助皿内の遊技球を下方へ排出する球抜き機構（６１）と、前記遊技機本体（１）の前側で且つ前記発射操作ハンドル（１４）に対する左右方向の一方側に配置され、複数種類の方向に操作可能な入力操作部（８２，１０２）により所定演出に関する複数種類の入力操作が可能な多種入力操作手段（１５，１０１）とを備えた弾球遊技機において、前記球抜き操作手段（６６）を前記多種入力操作手段（１５，１０１）の入力操作部（８２，１０２）上又はその近傍に配置したことを特徴とする弾球遊技機。
【請求項２】
前記入力操作部（８２，１０２）に手を添えた状態のままで操作可能な位置に前記球抜き操作手段（６６）を配置したことを特徴とする請求項１に記載の弾球遊技機。
【請求項３】
前記入力操作部（８２，１０２）で前記所定演出に関する入力操作とは別の球抜き有効化操作が行われることにより前記球抜き操作手段（６６）が有効となるように構成されていることを特徴とする請求項２に記載の弾球遊技機。
【請求項４】
前記払い出し手段（３７）からの貸し球の払い出しに関する操作を行う球貸し操作手段（８７）を前記多種入力操作手段（１５，１０１）の入力操作部（８２，１０２）上又はその近傍に配置したことを特徴とする請求項１〜３の何れかに記載の弾球遊技機。
【請求項５】
払い出し手段（３７）から払い出された遊技球を貯留する貯留皿（１３）と、遊技機本体（１）の前側に設けられた発射操作ハンドル（１４）と、該発射操作ハンドル（１４）が操作されることを条件に、前記貯留皿（１３）から供給される遊技球を遊技領域（６ａ）に向けて発射する発射手段（８）と、所定の球抜き操作が行われることに基づいて前記貯留皿（１３）内又は前記貯留皿（１３）の下流側に設けられた補助皿内の遊技球を下方へ排出する球抜き機構（６１）と、前記遊技機本体（１）の前側で且つ前記発射操作ハンドル（１４）に対する左右方向の一方側に配置され、複数種類の方向に操作可能な入力操作部（８２，１０２）により所定演出に関する複数種類の入力操作が可能な多種入力操作手段（１５，１０１）とを備えた弾球遊技機において、前記入力操作部（８２，１０２）による前記複数種類の入力操作が、前記所定演出に関する入力操作とは別の前記球抜き操作を含むように構成したことを特徴とする弾球遊技機。
【請求項６】
前記球抜き操作は、前記所定演出に関する入力操作とは別種類の操作であることを特徴とする請求項３に記載の弾球遊技機。
【請求項７】
球抜き有効化操作手段（９５）を前記多種入力操作手段（１５，１０１）の入力操作部（８２，１０２）上又はその近傍に配置し、前記球抜き有効化操作手段（９５）が操作されることにより前記球抜き操作が有効となるように構成されていることを特徴とする請求項５又は６に記載の弾球遊技機。
【請求項８】
前記多種入力操作手段（１５）は、前記入力操作部（８２）を構成する操作桿（８２）を複数方向に倒すことにより前記複数種類の入力操作が可能なジョイスティック装置により構成されていることを特徴とする請求項１〜７の何れかに記載の弾球遊技機。
【請求項９】
前記多種入力操作手段（１０１）は、前記入力操作部（１０２）を構成する操作ダイヤル（１０２）を回転することにより前記複数種類の入力操作が可能な回転ダイヤル装置により構成されていることを特徴とする請求項１〜７の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機においては、例えば遊技者を遊技の進行により深く関与させて興趣の向上を図るべく、例えば遊技球発射用の発射操作ハンドル等とは別に演出用の入力手段を設け、遊技者がこの入力手段により何らかの入力を行った場合にその入力結果に基づく演出を行うようにしたものが知られている。
【０００３】
また、このような弾球遊技機に搭載される演出用入力手段としては、単純な押しボタン式のものの他、最近では複数種類の方向に操作可能な入力操作部により複数種類の入力操作が可能なジョイスティック等の多種入力操作手段も採用されている（例えば特許文献１参照）。
【０００４】
特許文献１に記載されたパチンコ機では、遊技機本体の右側に発射操作ハンドルが、左側に演出用入力手段としてのジョイスティックが夫々配置され、また球抜き操作ボタンや球貸し操作ボタン等はそれら発射操作ハンドルやジョイスティックとは別に配置されている。
【特許文献１】特開２００４−３４４２２８号公報
【発明の開示】
【発明が解決しようとする課題】
【０００５】
特許文献１のような多種入力操作手段を搭載した弾球遊技機で遊技を行う場合、多種入力操作手段の操作を伴う演出が開始されると、遊技者は例えば右手を発射操作ハンドルに、左手を多種入力操作手段に夫々添えた状態、即ち両手が塞がった状態となるため、例えばその状態で貯留皿の球抜きの必要に迫られた場合には、例えば多種入力操作手段による操作を中断して左手で球抜き操作ボタンを操作する必要があり、興趣が損なわれる虞があった。
【０００６】
本発明は上記事情に鑑みてなされたものであり、発射操作ハンドルと多種入力操作手段とで両手が塞がっている状態でも、何れかの操作を中断することなく球抜き操作を行うことが可能な弾球遊技機を提供することを目的とする。
【課題を解決するための手段】
【０００７】
第１の発明は、払い出し手段３７から払い出された遊技球を貯留する貯留皿１３と、遊技機本体１の前側に設けられた発射操作ハンドル１４と、該発射操作ハンドル１４が操作されることを条件に、前記貯留皿１３から供給される遊技球を遊技領域６ａに向けて発射する発射手段８と、球抜き操作手段６６が操作されることに基づいて前記貯留皿１３内又は前記貯留皿１３の下流側に設けられた補助皿内の遊技球を下方へ排出する球抜き機構６１と、前記遊技機本体１の前側で且つ前記発射操作ハンドル１４に対する左右方向の一方側に配置され、複数種類の方向に操作可能な入力操作部８２，１０２により所定演出に関する複数種類の入力操作が可能な多種入力操作手段１５，１０１とを備えた弾球遊技機において、前記球抜き操作手段６６を前記多種入力操作手段１５，１０１の入力操作部８２，１０２上又はその近傍に配置したものである。
【０００８】
また第２の発明は、払い出し手段３７から払い出された遊技球を貯留する貯留皿１３と、遊技機本体１の前側に設けられた発射操作ハンドル１４と、該発射操作ハンドル１４が操作されることを条件に、前記貯留皿１３から供給される遊技球を遊技領域６ａに向けて発射する発射手段８と、所定の球抜き操作が行われることに基づいて前記貯留皿１３内又は前記貯留皿１３の下流側に設けられた補助皿内の遊技球を下方へ排出する球抜き機構６１と、前記遊技機本体１の前側で且つ前記発射操作ハンドル１４に対する左右方向の一方側に配置され、複数種類の方向に操作可能な入力操作部８２，１０２により所定演出に関する複数種類の入力操作が可能な多種入力操作手段１５，１０１とを備えた弾球遊技機において、前記入力操作部８２，１０２による前記複数種類の入力操作は、前記所定演出に関する入力操作とは別の前記球抜き操作を含むように構成したものである。
【発明の効果】
【０００９】
本発明によれば、例えば右手で発射操作ハンドル１４による発射操作を行い、左手で多種入力操作手段１５，１０１の入力操作部８２，１０２による演出入力操作を行っているときに例えば貯留皿１３が満杯になっても、それらの操作を共に中断することなく、そのまま左手で球抜き操作手段６６を操作し、又は入力操作部８２，１０２により所定の球抜き操作を行うだけで、球抜き機構６１を作動させて貯留皿１３内又はその下流側の補助皿内の遊技球を抜き取ることが可能である。
【発明を実施するための最良の形態】
【００１０】
以下、本発明の実施形態を図面に基づいて詳述する。図１〜図６は本発明をパチンコ機に採用した第１の実施形態を例示している。図１及び図２において、遊技機本体１は、矩形状の外枠２と、この外枠２の左右一側、例えば左側のヒンジ３を介して縦軸心廻りに開閉自在及び着脱自在に枢着された内枠４とを備えている。
【００１１】
内枠４には、その上部側に設けられた上部装着部５に遊技盤６が、その上部装着部５の下側に設けられた下部装着部７に発射手段８等が夫々配置されており、その内枠４の前側には、上部装着部５に対応するガラス扉９と、下部装着部７に対応する下部開閉扉１０とがヒンジ３と同じ側のヒンジ１１により開閉自在及び着脱自在に枢着されている。ガラス扉９には、遊技盤６側の遊技領域６ａに対応するガラス窓１２が設けられ、また下部開閉扉１０の前側には、発射手段８に供給するための遊技球を貯留する貯留皿１３が左右方向の略中央に、発射手段８を作動させるための発射操作ハンドル１４が例えば右端側に、演出操作用のジョイスティック装置（多種入力操作手段）１５が例えば左端側に夫々設けられている。
【００１２】
上部装着部５には、遊技盤６を例えば前側から着脱可能な遊技盤装着枠１６が設けられ、またその上端側には左右一対の上部スピーカ１７が着脱自在に装着されている。遊技盤６の前面側には、発射手段８から発射された遊技球を案内するガイドレール１８が環状に装着されると共に、そのガイドレール１８の内側の遊技領域６ａに、センターケース２１、普通図柄始動手段２２、特別図柄始動手段２３、大入賞手段２４、普通入賞手段２５等の各種遊技部品が配置されている。
【００１３】
センターケース２１は、図２に示すように、液晶式その他の画像表示手段２６に対応する表示窓２７が形成された表示枠体２８を備え、この表示枠体２８上に、普通図柄表示手段２９、特別図柄表示手段３０、普通保留個数表示手段３１等が設けられている。また、画像表示手段２６は、演出図柄表示手段３２、特別保留個数表示手段３３等を構成している。
【００１４】
普通図柄表示手段２９は、普通図柄を変動表示するためのもので、例えば「○」「×」の２種類の普通図柄に対応する２個の発光体（例えばＬＥＤ）により構成されており、通過ゲート等よりなる普通図柄始動手段２２が遊技球を検出することを条件にそれら２つの発光体が所定時間交互に点滅して、普通図柄始動手段２２による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１５】
また、普通図柄表示手段２９の変動表示中、又は後述する普通利益状態中に普通図柄始動手段２２が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段３１がその発光個数により当たり判定乱数値の記憶個数（以下、普通保留個数という）を表示して、その時点での普通保留個数を遊技者に報知するようになっている。
【００１６】
特別図柄始動手段２３は、特別図柄表示手段３０による図柄変動を開始させるためのもので、非開閉式の上特別始動口３４ａと開閉手段３５による開閉式の下特別始動口３４ｂとを備えており、普通図柄表示手段２９の変動後の停止図柄が当たり態様となって普通利益状態が発生したときに、下特別始動口３４ｂの開閉手段３５が所定時間、所定回数だけ閉状態から開状態に変化するように構成されている。
【００１７】
特別図柄表示手段３０は、１個又は複数個、例えば１個の特別図柄を変動表示可能な７セグメント式等の表示手段により構成されており、特別図柄始動手段２３の特別始動口３４ａ，３４ｂの何れかに遊技球が入賞することを条件に特別図柄を所定時間変動表示して、特別始動口３４ａ，３４ｂへの入賞時に取得された大当たり判定乱数値が予め定められた大当たり判定値と一致する場合には所定の大当たり態様で、それ以外の場合には外れ態様で停止するようになっている。
【００１８】
特別図柄には、例えば大当たり態様及び外れ態様が夫々１又は複数種類ずつ設けられている。なお、それら各態様には夫々数字図柄等を割り当ててもよいし、遊技者がその特別図柄の種類を容易に区別できないように、任意の線や点の組み合わせのような特別な意味を持たない図柄を割り当ててもよい。
【００１９】
また、特別図柄の変動表示中、又は後述する特別利益状態中に特別始動口３４ａ，３４ｂに遊技球が入賞した場合には、その入賞時に取得された大当たり判定乱数値等が夫々所定の上限保留個数、例えば各４個を限度として記憶されると共に、特別保留個数表示手段３３が大当たり判定乱数値の記憶個数（以下、特別保留個数という）を表示して、その時点での特別保留個数を遊技者に報知するようになっている。
【００２０】
演出図柄表示手段３２は、例えば特別図柄表示手段３０による特別図柄の変動表示と並行して演出図柄を変動表示するもので、１個又は複数個、例えば左右方向に３個の演出図柄を例えば各種の演出画像と共に画像表示手段２６の表示画面２６ａに変動表示可能に構成されており、特別図柄始動手段２３の特別始動口３４ａ，３４ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００２１】
特別保留個数表示手段３３は、特別保留個数を報知するもので、表示画面２６ａ上の所定部分、例えば下部側に特別保留個数分のシンボルを表示するようになっている。
【００２２】
大入賞手段２４は、遊技球が入賞可能な開状態と入賞不可能な閉状態とに切り換え可能な開閉板３６を備えた作動式入賞手段で、特別図柄表示手段３０の変動後の特別図柄が大当たり態様となることに基づいて特別利益状態が発生したときに、開閉板３６が所定の開放パターンに従って前側に開放して、その上に落下した遊技球を内部へと入賞させるようになっている。
【００２３】
内枠４の下部装着部７には、その前側の例えば左右方向略中央に発射手段８が配置され、その発射手段８の左側には、内枠４の裏側等に配置された払い出し手段３７（図６）から払い出された遊技球を下部開閉扉１０側の貯留皿１３に排出するための払い出し口４１等が、右側には下部スピーカ４２等が夫々配置されている。
【００２４】
発射手段８は、発射レール４３と、発射用の遊技球を発射レール４３上に保持する球保持部４４と、前後方向の駆動軸４５廻りに揺動自在に支持された打撃槌４６と、この打撃槌４６を揺動駆動するロータリソレノイド等の発射駆動手段４７等を備えており、下部開閉扉１０側の発射操作ハンドル１４が操作されたときに発射駆動手段４７により打撃槌４６を打撃方向（時計廻り）に間欠的に駆動することにより、下部開閉扉１０側の貯留皿１３から発射レール４３上に供給された遊技球を発射レール４３に沿って打撃して遊技領域６ａに向けて発射させるようになっている。
【００２５】
下部開閉扉１０は、図３，図４等に示すように、下部装着部７の前側に略平行に配置される台板５１、この台板５１の前側上部に配置される貯留皿１３、この貯留皿１３の前側から台板５１の略全体を覆う化粧カバー５２、貯留皿１３の右側で化粧カバー５２の前側に配置される発射操作ハンドル１４、貯留皿１３の左側で化粧カバー５２の前側に配置されるジョイスティック装置１５、台板５１の裏側に着脱自在に装着される球送り手段５３及びファール球返却手段５４、台板５１の裏側に突設される払い出し案内樋５５等を備えている。
【００２６】
台板５１は、下部装着部７の前側を覆う横長矩形状で、払い出し案内樋５５の前側に連通する払い出し排出口５６（図４，図５）の他、ファール球排出口５７（図４）、球送り流入口５８（図５）等が前後方向貫通状に形成されており、それら払い出し排出口５６、ファール球排出口５７、球送り流入口５８の前側に対応して貯留皿１３が装着されている。
【００２７】
貯留皿１３は、払い出し手段３７から払い出し案内樋５５、払い出し排出口５６を介して払い出された遊技球を貯留すると共に発射手段８側に案内するもので、その内部には、球送り手段５３に連通する球送り流入口５８に向けて遊技球を一列状に流下させる球送り通路５９と、遊技球を球送り通路５９側に流下させる例えば右下がり傾斜状の流下案内部６０とが設けられており、流下案内部６０の上流端側、即ち左端側に対応して払い出し排出口５６が、球送り通路５９の上部側に対応してファール球排出口５７が夫々配置されている。
【００２８】
貯留皿１３内の遊技球は、流下案内部６０、球送り通路５９を順次流下し、球送り流入口５８を経て台板５１の裏側の球送り手段５３内に流入し、発射手段８の発射動作と同期して１個ずつ発射レール４３上に供給されるようになっている。また、発射手段８により発射されたにも関わらず遊技領域６ａに到達することなく戻ってきたファール球は、発射手段８の下流側でファール球返却手段５４により捕捉され、ファール球排出口５７から貯留皿１３内に戻される。
【００２９】
また、貯留皿１３に対しては２系統の球抜き機構６１，６２が設けられている。第１球抜き機構６１は、図３及び図５に示すように、貯留皿１３の底壁１３ａ上の所定位置、例えば流下案内部６０上に設けられた第１球抜き孔６３と、この第１球抜き孔６３を開閉可能な第１球抜き開閉板６４と、この第１球抜き開閉板６４を開閉駆動する電磁ソレノイド等の球抜き駆動手段６５と、この球抜き駆動手段６５を作動させるための第１球抜き操作ボタン６６とを備えている。
【００３０】
第１球抜き孔６３は、球抜き駆動手段６５がＯＦＦとなっている通常時には第１球抜き開閉板６４により閉鎖されており、第１球抜き操作ボタン６６が操作されて球抜き駆動手段６５がＯＮになったとき、その球抜き駆動手段６５の駆動により第１球抜き開閉板６４が開方向に移動して開状態となる。これにより、その第１球抜き孔６３よりも上流側の遊技球は順次第１球抜き孔６３内に流入し、その下側の第１球抜き通路６７を経て球抜き排出口６８から下向きに排出される。なお、球抜き駆動手段６５は、例えば貯留皿１３の下側で且つ化粧カバー５２の裏側に配置されている。
【００３１】
また、第２球抜き機構６２は、図５に示すように、貯留皿１３の最下流部又はその近傍、例えば球送り通路５９上における球送り流入口５８の上流側近傍に設けられた第２球抜き孔７１と、この第２球抜き孔７１を開閉可能な第２球抜き開閉板７２と、例えば化粧カバー５２の前側に設けられ且つ第２球抜き開閉板７２と機械的に連動する第２球抜き操作ボタン７３とを備えている。
【００３２】
第２球抜き孔７１は、通常時には第２球抜き開閉板７２により閉鎖されており、第２球抜き操作ボタン７３が押圧操作されたとき、その第２球抜き操作ボタン７３の動きに連動して第２球抜き開閉板７２が開方向に移動して開状態となる。これにより、その第２球抜き孔７１よりも上流側の遊技球は順次第２球抜き孔７１内に流入し、例えばその下側の第２球抜き通路７４、第１球抜き通路６７を経て球抜き排出口６８から下向きに排出される。これにより、貯留皿１３内の略全ての遊技球を抜き取ることができる。なお、第２球抜き開閉板７２は、電磁ソレノイド等の駆動手段により開閉駆動可能に構成してもよい。
【００３３】
また、貯留皿１３が遊技球で満杯になった場合には、図示しない満杯検出スイッチがＯＮとなり、例えば発射手段８による発射動作及び／又は払い出し手段３７による払い出し動作が中断されるようになっている。この発射動作等の中断は、貯留皿１３内の遊技球が第１球抜き孔６３等から抜き取られて満杯検出スイッチがＯＦＦになるまで継続される。なお、満杯検出スイッチがＯＮになった場合には、遊技者に球抜き操作を促すべく、画像表示手段２６等によりその旨を報知するように構成されている。このとき、第１球抜き機構６１による球抜き操作方法等を画像表示手段２６に表示してもよい。
【００３４】
発射操作ハンドル１４は、発射手段８を作動させるために遊技者が操作するもので、例えば遊技者が右手で無理なく操作できるように、貯留皿１３の右側で化粧カバー５２の前側に突設されている。
【００３５】
ジョイスティック装置１５は、遊技者が所定演出に関する入力操作を行うためのもので、例えば遊技者が左手で無理なく操作できるように貯留皿１３の左側に配置されており、図３，図４，図６等に示すように、例えば化粧カバー５２の前側に突設される台座部８１と、この台座部８１上に立設される操作桿（入力操作部）８２とを備えている。
【００３６】
操作桿８２は、下端側のピボット部８３ａにおいて台座部８１により前後左右を含む任意方向に揺動可能に支持されるレバー部８３と、このレバー部８３の上端側に装着され且つ遊技者が握りやすい形状に成形されたグリップ部８４とを備えており、遊技者がこの操作桿８２を略直立状態の中立位置から任意方向に倒したとき、例えば台座部８１内に設けられた揺動操作検出手段８５がその操作方向等を検出して、その検出信号を演出制御手段８６に出力するようになっている。このように、本実施形態では操作桿８２を前後左右等の任意の方向に倒す操作が所定演出に関する入力操作を構成している。
【００３７】
なお、この操作桿８２による入力操作を要求する所定演出としては、画像表示手段２６に表示されたキャラクタ等を遊技者が操作桿８２の操作により自由に動かしながら得点を獲得するゲーム演出等が考えられる。
【００３８】
また、操作桿８２のグリップ部８４には、第１球抜き操作ボタン（球抜き操作手段）６６と球貸し操作手段８７とが設けられている。球貸し操作手段８７は、払い出し手段３７からの貸し球の払い出しに関する操作等を行うもので、球貸しボタン８７ａ、返却ボタン８７ｂ、球貸し表示部８７ｃ等を備えている。
【００３９】
第１球抜き操作ボタン６６、球貸しボタン８７ａ及び返却ボタン８７ｂは、何れも遊技者がグリップ部８４に手を添えた状態のままで操作可能となるように、例えば第１球抜き操作ボタン６６は人差し指で操作可能な上端部後側に、球貸しボタン８７ａ及び返却ボタン８７ｂは親指で操作可能な上端部前側に夫々配置されている。また、球貸し表示部８７ｃは、遊技者がグリップ部８４に手を添えた状態のままで視認可能となるように、例えばグリップ部８４の上端部上面側に配置されている。
【００４０】
第１球抜き操作ボタン６６が操作されると、球抜き駆動手段６５の駆動により第１球抜き開閉板６４が開方向に移動して第１球抜き孔６３が開放され、それよりも上流側の遊技球が第１球抜き孔６３、第１球抜き通路６７を経て球抜き排出口６８から下側に排出される。また、例えば球貸しボタン８７ａが操作されると、球貸し制御手段８８の制御により払い出し手段３７が作動し、所定個数の遊技球が貯留皿１３に払い出される。
【００４１】
以上のように、本実施形態のパチンコ機では、第１球抜き操作ボタン６６をジョイスティック装置１５の操作桿８２上であって遊技者がその操作桿８２に手を掛けた状態のままで操作可能な位置に配置しているため、例えば右手で発射操作ハンドル１４による発射操作を行い、左手でジョイスティック装置１５の操作桿８２による演出入力操作を行っているときに例えば貯留皿１３が満杯になっても、それらの操作を共に中断することなく、そのまま左手の人差し指等で第１球抜き操作ボタン６６を操作するだけで、第１球抜き孔６３を開放してその第１球抜き孔６３よりも上流側の遊技球を抜き取ることが可能である。
【００４２】
また、同じく右手で発射操作ハンドル１４による発射操作を行い、左手でジョイスティック装置１５の操作桿８２による演出入力操作を行っているときに例えば貯留皿１３内の遊技球が残り少なくなった場合でも、それらの操作を共に中断することなく、そのまま左手の親指等で球貸しボタン８７ａ等を操作するだけで貸し球の払い出しを受けることが可能である。
【００４３】
なお、第２球抜き孔７１からの球抜きは遊技者がその遊技機での遊技をやめるときに行うのが通常であり、遊技者の両手が塞がっている状態でも第２球抜き操作ボタン７３を操作可能とする必要性に乏しいことから、本実施形態では第２球抜き操作ボタン７３については操作桿８２上に設けなかったが、第２球抜き操作ボタン７３についても第１球抜き操作ボタン６６等と同様に操作桿８２上又はその近傍に設けてもよい。
【００４４】
図７は本発明の第２の実施形態を例示し、第１の実施形態を一部変更して、操作桿８２により所定演出に関する入力操作とは別の球抜き有効化操作が行われることにより球抜き操作手段６６等が有効となるように構成した例を示している。
【００４５】
本実施形態のジョイスティック装置１５は、第１の実施形態と同様、操作桿８２を前後左右を含む任意の方向に倒すことによる所定演出用の入力操作が可能であるが、それ以外に、図７に矢印で示すように例えば操作桿８２をその軸方向下向きにスライドさせることによる球抜き有効化操作が可能に構成されている。即ち、操作桿８２のグリップ部８４は、例えばレバー部８３に対して軸方向にスライド移動可能に構成されると共にレバー部８３に対して上向きに付勢されており、グリップ部８４が軸方向下向きに押圧されたとき、例えばグリップ部８４内に設けられた押圧操作検出手段９１がＯＮになるように構成されている。
【００４６】
また本実施形態では、操作桿８２上に設けられた第１球抜き操作ボタン６６、球貸しボタン８７ａ及び返却ボタン８７ｂは、それらを単独で操作しても球抜き駆動手段６５、球貸し制御手段８８は作動せず、押圧操作検出手段９１がＯＮになった状態、即ちグリップ部８４を軸方向下向きに押圧する球抜き有効化操作が行われている状態でそれら第１球抜き操作ボタン６６、球貸しボタン８７ａ、返却ボタン８７ｂが操作された場合にのみ球抜き駆動手段６５、球貸し制御手段８８が作動するように構成されている。
【００４７】
以上のように、操作桿８２により所定演出に関する入力操作とは別の球抜き有効化操作が行われることにより球抜き操作手段６６等が有効となるように構成することにより、第１球抜き操作ボタン６６等の誤操作を効果的に防止できる利点がある。
【００４８】
なお、第１球抜き操作ボタン６６、球貸しボタン８７ａ、返却ボタン８７ｂ等が全てＯＦＦの状態で押圧操作検出手段９１がＯＮになった（球抜き有効化操作が行われた）場合と、押圧操作検出手段９１がＯＦＦの状態（球抜き有効化操作が行われていない状態）で第１球抜き操作ボタン６６、球貸しボタン８７ａ、返却ボタン８７ｂ等の何れかがＯＮになった場合との少なくとも一方の場合に、その旨の信号を例えば演出制御手段８６に入力し、所定の演出を行うように構成してもよい。この所定の演出としては、球抜き、球貸し、返却操作等の方法を画像表示手段２６等で報知する演出等が考えられる。
【００４９】
図８は本発明の第３の実施形態を例示し、操作桿８２上に第１球抜き操作ボタン６６等を設ける代わりに、操作桿８２を所定演出に関する入力操作とは別種類の操作を可能に構成し、その別種類の操作が行われることに基づいて球抜き駆動手段６５等を作動させるように構成した例を示している。
【００５０】
本実施形態のジョイスティック装置１５は、第１，第２の実施形態と同様、操作桿８２を前後左右を含む任意の方向に倒すことによる所定演出用の入力操作が可能であるが、それ以外に、図８に矢印で示すように例えば操作桿８２のグリップ部８４をレバー部８３に対してその軸方向下向きにスライドさせる球抜き操作と、例えば操作桿８２のグリップ部８４をレバー部８３に対して軸廻りの一方側に回転させる球貸し操作と、例えば操作桿８２のグリップ部８４をレバー部８３に対して軸廻りの他方側に回転させる返却操作とが可能に構成されており、例えばグリップ部８４内には、球抜き操作を検出する球抜き操作検出手段９２と、球貸し操作を検出する球貸し操作検出手段９３と、返却操作を検出する返却操作検出手段９４とが設けられている。なお、球貸し表示部８７ｃは例えばグリップ部８４の上端部上面側等に配置すればよい。
【００５１】
そして、操作桿８２が軸方向に押圧されて球抜き操作検出手段９２がその球抜き操作を検出すると、球抜き駆動手段６５の駆動により第１球抜き開閉板６４が開方向に移動して第１球抜き孔６３が開放され、また操作桿８２が軸廻りの所定方向に回転されて球貸し操作検出手段９３がその球貸し操作を検出すると、球貸し制御手段８８が作動して払い出し手段３７により所定個数の遊技球が払い出される。
【００５２】
以上のように、操作桿８２をその下端部のピボット部８３ａを中心に所定方向に倒すという所定演出に関する入力操作とは別種類の操作、即ち操作桿８２をその軸方向にスライドさせ、軸廻りに回転させる操作を可能に構成し、その別種類の操作が行われることに基づいて球抜き駆動手段６５等を作動させるように構成することにより、第１の実施形態と同様、発射操作ハンドル１４とジョイスティック装置１５とで両手が塞がっている状態でも、何れかの操作を中断することなく球抜き操作等を行うことが可能となる。
【００５３】
図９は本発明の第４の実施形態を例示し、第３の実施形態を一部変更して、例えば操作桿８２上に設けた球抜き有効化操作ボタン９５が操作されることにより球抜き操作等が有効となるように構成した例を示している。
【００５４】
本実施形態のジョイスティック装置１５は、第３の実施形態と同様に、例えば操作桿８２のグリップ部８４をレバー部８３に対してその軸方向下向きにスライドさせる球抜き操作と、例えば操作桿８２のグリップ部８４をレバー部８３に対して軸廻りの一方側に回転させる球貸し操作と、例えば操作桿８２のグリップ部８４をレバー部８３に対して軸廻りの他方側に回転させる返却操作とが可能に構成されているが、それらの操作を単独で行っても球抜き駆動手段６５、球貸し制御手段８８は作動せず、例えば操作桿８２上に配置された球抜き有効化操作ボタン（球抜き有効化操作手段）９５が操作された状態で球抜き操作、球貸し操作、返却操作が行われた場合にのみ、球抜き駆動手段６５、球貸し制御手段８８が作動するように構成されている。
【００５５】
なお、球抜き操作検出手段９２、球貸し操作検出手段９３、返却操作検出手段９４等が全てＯＦＦの状態で球抜き有効化操作ボタン９５がＯＮになった（球抜き有効化操作が行われた）場合と、球抜き有効化操作ボタン９５がＯＦＦの状態（球抜き有効化操作が行われていない状態）で球抜き操作検出手段９２、球貸し操作検出手段９３、返却操作検出手段９４等の何れかがＯＮになった場合との少なくとも一方の場合に、その旨の信号を例えば演出制御手段８６に入力し、所定の演出を行うように構成してもよい。この所定の演出としては、球抜き、球貸し、返却操作等の方法を画像表示手段２６等で報知する演出等が考えられる。
【００５６】
また、球抜き有効化操作ボタン９５は、操作桿８２上に設けることが望ましいが、遊技者が操作桿８２に手を添えた状態で操作できる位置であれば操作桿８２上でなくてもよい。
【００５７】
以上のように、操作桿８２上に設けた球抜き有効化操作ボタン９５が操作されることにより球抜き操作等が有効となるように構成することにより、球抜き操作等の誤操作を効果的に防止できる利点がある。
【００５８】
図１０は本発明の第５の実施形態を例示し、多種入力操作手段として回転ダイヤル装置１０１を採用した例を示している。
【００５９】
この回転ダイヤル装置１０１は、第１〜第４の実施形態におけるジョイスティック装置１５と同様、遊技者が所定演出に関する入力操作を行うためのもので、例えば遊技者が左手で無理なく操作できるように貯留皿１３の左側に配置されており、例えば化粧カバー５２の前側に突設される台座部８１と、この台座部８１上に設けられる操作ダイヤル（入力操作部）１０２とを備えている。
【００６０】
操作ダイヤル１０２は、例えば上下方向の軸廻りに回転可能に構成されており、遊技者がこの操作ダイヤル１０２を任意方向に回転させたとき、例えば台座部８１内に設けられた回転操作検出手段１０３がその操作方向等を検出して、その検出信号を演出制御手段８６に出力するようになっている。このように、本実施形態では操作ダイヤル１０２を任意の方向に回転させる操作が所定演出に関する入力操作を構成している。
【００６１】
また、操作ダイヤル１０２の近傍の例えば台座部８１上には、第１球抜き操作ボタン  （球抜き操作手段）６６と、球貸し操作手段８７を構成する球貸しボタン８７ａ、返却ボタン８７ｂ、球貸し表示部８７ｃ等が配置されており、遊技者が操作ダイヤル１０２に左手を添えた状態のままで第１球抜き操作ボタン６６、球貸しボタン８７ａ、返却ボタン８７ｂを操作可能となっている。
【００６２】
このように、多種入力操作手段はジョイスティック装置１５に限られるものではなく、回転ダイヤル装置１０１等の種々の操作手段を採用することが可能である。
【００６３】
以上、本発明の実施形態について詳述したが、本発明はこれらの実施形態に限定されるものではなく、本発明の趣旨を逸脱しない範囲で種々の変更が可能である。例えば、球抜き操作手段や球貸し操作手段は、遊技者が多種入力操作手段の入力操作部に手を添えた状態のままで操作可能な位置であれば、その入力操作部上に設けてもよいし入力操作部の近傍に設けてもよい。
【００６４】
多種入力操作手段は、遊技者が発射操作ハンドル１４を操作する側とは反対側の手で無理なく操作できるように発射操作ハンドル１４に対する左右方向の一方側に設ければよく、例えば貯留皿１３の前側等、遊技機本体１の中央部近傍に配置してもよい。
【００６５】
球抜き操作手段や球貸し操作手段は、遊技者が容易に操作可能であればよく、押しボタン式に限らずレバー式等でもよい。
【００６６】
貯留皿１３の下流側に、貯留皿１３から溢れた遊技球を貯留する補助皿を設けた弾球遊技機の場合には、球抜き操作手段６６の操作により作動する球抜き機構６１を、貯留皿１３ではなくその下流側の補助皿に設ければよい。
【００６７】
また本発明は、パチンコ機に限らず、アレンジボール機、雀球遊技機等の他の弾球遊技機においても同様に実施することが可能である。
【図面の簡単な説明】
【００６８】
【図１】本発明の第１の実施形態におけるパチンコ機の全体正面図である。
【図２】遊技機本体からガラス扉及び下部開閉扉を外した状態の正面図である。
【図３】下部開閉扉の平面図である。
【図４】下部開閉扉の斜視図である。
【図５】貯留皿及びその近傍の概略正面断面図である。
【図６】ジョイスティック装置に関する制御系の概略構成図である。
【図７】本発明の第２の実施形態におけるジョイスティック装置に関する制御系の概略構成図である。
【図８】本発明の第３の実施形態におけるジョイスティック装置に関する制御系の概略構成図である。
【図９】本発明の第４の実施形態におけるジョイスティック装置に関する制御系の概略構成図である。
【図１０】本発明の第５の実施形態における回転ダイヤル装置の概略構成図である。
【符号の説明】
【００６９】
１    遊技機本体
６ａ  遊技領域
８    発射手段
１３    貯留皿
１４    発射操作ハンドル
１５    ジョイスティック装置（多種入力操作手段）
３７    払い出し手段
６１    第１球抜き機構（球抜き機構）
６６    第１球抜き操作ボタン（球抜き操作手段）
８２    操作桿（入力操作部）
８７    球貸し操作手段
９５    球抜き有効化操作ボタン（球抜き有効化操作手段）
１０１    回転ダイヤル装置（多種入力操作手段）
１０２    操作ダイヤル（入力操作部）
【図１】
2010115312.tif 000003
【図２】
2010115312.tif 000004
【図３】
2010115312.tif 000005
【図４】
2010115312.tif 000006
【図５】
2010115312.tif 000007
【図６】
2010115312.tif 000008
【図７】
2010115312.tif 000009
【図８】
2010115312.tif 000010
【図９】
2010115312.tif 000011
【図１０】
2010115312.tif 000012